(57)【要約】      （修正有）【課題】イベント会場等において見学者の案内や誘導に用いられる防護柵に関し、柵の高さを多段階に調節することができる全高可変式防護柵を提供する。【解決手段】長手方向のスリット１３２とスリットの中間位置にスリットとつながる周方向の切り欠き１３３とが設けられたパイプ状の外側ポール部１３と、外側ポールを置き位置に固定するベース部１４と、部材の下方に突起を有する内側ポール部１２と、内側ポールの上方に設けられたベルト部１１と、からなる全高可変式防護柵であって、内側ポール部は、外側ポールの内側に摺動可能に挿入されており、内側ポール部が有する突起は、外側ポール部のスリットと係合し、スリットの最上部と最下部と切り欠きのいずれかの位置で掛止して、外側ポール部が備える留め具により内側ポール部の位置を固定して、前記ベルト部の高さを調節することを特徴とする。【選択図】図１
0003188175.tif 000002
【実用新案登録請求の範囲】
【請求項１】
長手方向のスリットと該スリットの中間位置に該スリットとつながる周方向の切り欠きとが設けられたパイプ状の外側ポール部と、該外側ポールを置き位置に固定するベース部と、部材の下方に突起を有する内側ポール部と、該内側ポールの上方に設けられたベルト部と、からなる全高可変式防護柵であって、
前記内側ポール部は、前記外側ポールの内側に摺動可能に挿入されており、該内側ポール部が有する突起は、該外側ポール部のスリットと係合し、該スリットの最上部と最下部と前記切り欠きのいずれかの位置で掛止して、
該外側ポール部が備える留め具により該内側ポール部の位置を固定して、前記ベルト部の高さを調節することを特徴とする全高可変式防護柵。
【考案の詳細な説明】
【技術分野】
【０００１】
本考案は、イベント会場等において見学者の案内や誘導に用いられる防護柵に関し、イベントの内容や見学者の年齢層等に応じて、柵の高さを多段階に調節することができる全高可変式防護柵の技術に関する。
【背景技術】
【０００２】
従来のイベント会場等では、見学者に移動可能な区画を知らせる目的等のために、ガイドスタンド等と呼ばれる簡易な防護柵が用いられている。その一般的な構造は、柵の役割を果たすベルト部と、ベルトを保持した状態で所定の位置に固定するポール部と、防護柵を所定の置き位置に固定するベース部からなっており、複数本の防護柵の相互にベルトを受け渡すことで所定の区画を形成する。
【０００３】
上記のような構造であるため、防護柵のベルト部の位置により、形成される柵の高さが決定される。イベントの主催者は、開催するイベントの内容や参加者の年齢層に応じて、異なる高さの防護柵を用意する必要があるが、近年、防護柵のポール部を伸縮可能とすることで、ベルト部の高さを調節できる防護柵も開発されている。
【０００４】
しかしながら、伸縮するタイプの防護柵の場合には、全ての防護柵の高さを一定の高さに調節する際に、高さの調整に時間と労力がかかってしまうという問題がある。
【０００５】
そのため、防護柵の高さの調節を容易にすべく、本願出願人により、ポール部分を上柱と下柱により構成し、必要な時に上柱をある高さに引き出した時にのみロック位置を設定し、留め具にて係止するワンタッチ高さ設定防護柵の技術が提案されている。（例えば特許文献１を参照）。
【先行技術文献】
【特許文献】
【０００６】
【特許文献１】実登３１２９５３０号公報
【考案の概要】
【考案が解決しようとする課題】
【０００７】
上記の特許文献１のワンタッチ高さ設定防護柵は、通常において上柱を下柱から引き出さずに低い位置で固定させることとし、高い位置での使用が必要になったときに上柱を下柱から引き出し、所定位置に備え付けた留め具で係止する。そのため、低い位置または高い位置の２か所で固定させることが可能となっている。
【０００８】
しかしながら、イベントの内容や参加者の年齢層によっては、さらに細かく高さを設定する必要が生じる。ここで、伸縮するタイプの防護柵を使用する場合には、自由な高さを設定することも可能であるが、物差し等を利用して一台一台の高さを確認しながら設置しなければならないため不便である。
【０００９】
また、それぞれ必要な高さの防護柵を何本も用意すれば設置は容易であるが、不経済であり保管スペースも多く確保しなければならない。
【００１０】
そこで、本考案では、上記課題を解決して、簡単に多段階の高さの調節が可能な全高可変式防護柵を提供することを目的とする。
【課題を解決するための手段】
【００１１】
本考案の全高可変式防護柵は、長手方向のスリットと該スリットの中間位置に該スリットとつながる周方向の切り欠きとが設けられたパイプ状の外側ポール部と、該外側ポールを置き位置に固定するベース部と、部材の下方に突起を有する内側ポール部と、該内側ポールの上方に設けられたベルト部と、からなる全高可変式防護柵であって、前記内側ポール部は、前記外側ポールの内側に摺動可能に挿入されており、該内側ポール部が有する突起は、該外側ポール部のスリットと係合し、該スリットの最上部と最下部と前記切り欠きのいずれかの位置で掛止して、該外側ポール部が備える留め具により該内側ポール部の位置を固定して、前記ベルト部の高さを調節することを特徴とする。
【００１２】
本考案によれば、全高可変式防護柵の高さを容易に調節することができるので、イベント等で必要になった防護柵の高さを迅速に再現することができる。
【考案の効果】
【００１３】
本考案の全高可変式防護柵によれば、単体で異なる高さの防護柵として使用できるので、高さごとに防護柵を準備する必要がなくなる。
【図面の簡単な説明】
【００１４】
【図１】本実施形態に係る全高可変式防護柵１の正面図（Ａ−１，Ｂ−１）および右側面図（Ａ−２，Ｂ−２）である。
【図２】本実施形態に係る全高可変式防護柵１が相互に接続する方法を説明する内側ポール部１２周辺の平面図（Ａ）と正面図（Ｂ）である。
【考案を実施するための形態】
【００１５】
本考案の全高可変式防護柵は、イベント等で人の誘導や立ち入り場所の制限等の案内に使用する防護柵であって、容易にその全高の調節が可能な構造品である。
【００１６】
本実施形態に係る全高可変式防護柵１は、イベントの内容や参加者の年齢層に応じて、高い位置、中間の位置、低い位置の３段階の高さに容易に調節することができる。なお、必要に応じて、さらに多段階の高さに調節することができる。
【００１７】
以下、本考案に係る全高可変式防護柵１の実施の形態を図面に基づいて説明する。
図１は、本実施形態に係る全高可変式防護柵１の正面図（Ａ−１，Ｂ−１）および右側面図（Ａ−２，Ｂ−２）である。左側の２図（Ａ−１，Ａ−２）は、全高可変式防護柵１の全高が低くなるように固定したときの図であり、右側の２図（Ｂ−１，Ｂ−２）は、全高可変式防護柵１の全高が中間の位置になるように固定したときの図である。
【００１８】
本実施形態の全高可変式防護柵１は、大きく４つの部位に分かれており、防護柵を形成するベルト部１１と、ベルト部１１を内包するとともに他の全高可変式防護柵１のベルト部１１と接続する内側ポール部１２と、内側ポール部１２を摺動可能に収納する外側ポール部１３と、外側ポール部１３を嵌入して所定の置き位置に固定するベース部１４と、からなっている。ベース部１４と、外側ポール部１３（内側ポール部１２、ベルト部１１も含む）は、容易に取り外しができるため、省スペースに収納することができ、保管が便利な構造になっている。
【００１９】
ベルト部１１には、装着部１１１を備え、他の全高可変式防護柵１の内側ポール部１２が備える図示しない装着受け部１２１に差し込むことで、ベルト部１１による防護柵が形成される。ベルト部１１は、通常において内側ポール部１２に内包されており、使用者は必要なときに内側ポール部１２から突起した装着部１１１を引き出して使用する。
【００２０】
図１の正面図（Ａ−１，Ｂ−１）は、ベルト部１１を引き出したときの状態を表している。右側面図（Ａ−２，Ｂ−２）は、ベルト部１１を内包したときの状態を表している。
【００２１】
図２は、本実施形態において全高可変式防護柵１が相互に接続する方法を説明する内側ポール部１２周辺の平面図（Ａ）と正面図（Ｂ）である。一方の全高可変式防護柵１にはベルト部１１Ａ，内側ポール部１２Ａを備えるほか、他方の全高可変式防護柵１が備えるベルト部１１Ｂの装着部１１１Ｂと接続するため、内側ポール部１２Ａの装着受け部１２１Ａを備える。装着受け部１２１Ａにはロック機能を備え、ベルト部１１Ｂの装着部１１１Ｂが容易に外れないように装着する。
【００２２】
図１において、内側ポール部１２には前記の装着受け部１２１を備えるほか、外側ポール部１３に収納されて全高を調節する伸縮部１２２を備える。利用者は、イベントの内容や参加者の年齢層に応じて、伸縮部１２２を伸縮させることで全高可変式防護柵１のベルト部１１の高さを調節する。なお、高さの調節に用いるために伸縮部１２２の下方に高さ決め部１２３を備え、後述する外側ポール部１３のスリット部１３２に係合して高さを決定する。
【００２３】
ここで、全高可変式防護柵１を低い位置で使用する場合には、図１（Ａ−１，Ａ−２）に示すように、内側ポール部１２の伸縮部１２２をすべて外側ポール部１３に収納する。内側ポール部１２のヘッド部分の外径は、外側ポール部１３の内径よりも少し大きくなっており、内側ポール部１２のヘッド部分を外側ポール部１３の開口部に掛止して固定する。また、内側ポール部１２の高さ決め部１２３は、スリット部１３２のもっとも下限で止まり高さが決定される。その後、外側ポール部１３が備える留め具のクランパ部１３１をロックすることで、内側ポール部１２は低い位置に固定される。
【００２４】
一方、高い位置で使用する場合には、内側ポール部１２の伸縮部１２２をすべて外側ポール部１３から引き出し、内側ポール部１２の高さ決め部１２３が、スリット部１３２の上限となったところで高さを決定し、外側ポール部１３が備えるクランパ部１３１をロックすることで、内側ポール部１２は高い位置に固定される。
【００２５】
さらに、中間の位置で使用する場合には、図１（Ｂ−１，Ｂ−２）に示すように、内側ポール部１２の伸縮部１２２の一部を外側ポール部１３から引き出し、内側ポール部１２の高さ決め部１２３をスリット部１３２からつながる切り欠き部１３３に掛止して高さを決定し、外側ポール部１３が備えるクランパ部１３１をロックすることで、内側ポール部１２は中間の位置に固定される。
【００２６】
これにより、利用者は、高い位置、中間の位置、低い位置での高さ調節を容易に行うことができる。なお、所定の高さ以外についても、高さ決め部１２３がスリット部１３２のどの位置にあるのかを計測することで、自由に調節することができる。ここでは、スリット部１３２に目盛りをつけるようにしても良い。
【００２７】
以上の通り、本考案の全高可変式防護柵１によれば、ベース部とポール部を取り外して省スペースでの保管を可能としつつ、伸縮式の防護柵における多段階の高さ調節を、容易かつ正確に行うことができる。
【符号の説明】
【００２８】
１  全高可変式防護柵
１１  ベルト部
１２  内側ポール部
１３  外側ポール部
１４  ベース部１４
１１１  装着部
１２１  装着受け部
１２２  伸縮部
１２３  高さ決め部
１３１  クランパ部
１３２  スリット部
１３３  切り欠き部
【図１】
0003188175.tif 000003
【図２】
0003188175.tif 000004